(57)【要約】【課題】断層画像における消滅放射線対の出射位置と、実際の出射位置とのズレを極力抑制して、ボケの少ない断層画像を取得できる放射線断層撮影装置を提供する。【解決手段】本発明の放射線断層撮影装置は、ある単位検出器リング１２ｐにて消滅放射線対を構成する放射線を同時計数で検出した場合、そのとき形成された検出データは、その単位検出器リング１２ｐに属する所定の基準点に最も近接した仮想断面である最近仮想断面における断層画像を形成する際に組み入れられる。こうすることで、検出データと、これを組み入れる最近仮想断面との検出器リングのｚ方向におけるズレ幅は、極力抑制されたものとなる。したがって、被検体Ｍの断層画像はより鮮明なものとなる。しかも、最近仮想断面は、ダイレクト断面Ｄｓ１，Ｄｓ２，クロス断面Ｃｓ１を区別することなく選択される。【選択図】図８
2010197095.tif 000002
【特許請求の範囲】
【請求項１】
放射線検出器が仮想円に沿って一列に配列されて単位検出器リングを構成し、複数の前記単位検出器リングが前記厚さ方向に積層されて構成されるとともに消滅放射線対を検出する検出器リングと、前記検出器リングの貫通穴に挿入されるとともに、前記検出器リングに対する相対位置を前記厚さ方向に変更自在となっている天板とを備え、複数の互いに平行となっている仮想断面における被検体の断層画像を形成する放射線断層撮影装置において、
前記単位検出器リングが前記消滅放射線対を検出したときに形成される検出データを基に断層画像を形成する画像形成手段と、
断層画像を形成する際に前記検出データを前記仮想断面に組み入れる振り分け手段とを更に備え、
前記仮想断面は、少なくとも前記検出器リングの数だけ、前記検出器リングのピッチとして配列された第１仮想断面と、互いに隣接した前記第１仮想断面の挟まれる位置の各々に設定された第２仮想断面とを備え、
ある単位検出器リングにて前記消滅放射線対を検出した場合、前記振り分け手段は、そのとき形成された検出データをその単位検出器リングに属する所定の基準点に最も近接した仮想断面である最近仮想断面における断層画像を形成する際に組み入れ、
前記振り分け手段は、前記検出データの組み入れの際に、前記第１仮想断面、前記第２仮想断面を区別することなく前記最近仮想断面を選択することを特徴とする放射線断層撮影装置。
【請求項２】
請求項１に記載の放射線断層撮影装置において、
前記検出データに含まれる放射線の検出強度データに対して重み付けを行う重み付け手段を備え、
ある単位検出器リングにて前記消滅放射線対を検出した場合、そのとき形成された検出データは、前記振り分け手段によって複製され、
振り分け手段は、そのうちの一方を前記最近仮想断面における断層画像を形成する際に組み入れるとともに、
他方を前記最近仮想断面に次いで前記基準点に近接した前記仮想断面である次近仮想断面における断層画像を形成する際に組み入れ、
前記検出データに含まれる放射線の検出強度データ、および複製された検出データに含まれる放射線の検出強度データは、前記重み付け手段によって、前記基準点に対する前記最近仮想断面と、前記次近仮想断面との位置関係を基に重み付けが行われることを特徴とする放射線断層撮影装置。
【請求項３】
請求項１または請求項２に記載の放射線断層撮影装置において、
前記振り分け手段と、前記画像形成手段との間に設けられたデータ記憶手段を更に備えることを特徴とする放射線断層撮影装置。
【発明の詳細な説明】
【技術分野】
【０００１】
この発明は、放射線をイメージングする放射線断層撮影装置に関し、特に検出器リングと被検体の相対的な位置を変更さながら放射線の検出を行う放射線断層撮影装置に関する。
【背景技術】
【０００２】
医療分野において、被検体に投与されて関心部位に局在した放射性薬剤から放出された消滅放射線対（例えばγ線）を検出し、被検体の関心部位における放射性薬剤分布の断層画像を得る放射線断層撮影装置(ECT:Emission Computed Tomography)に使用されている。ＥＣＴには、主なものとして、ＰＥＴ(Positoron Emission Tomography)装置、ＳＰＥＣＴ(Single Photon Emission Computed Tomography)装置などが挙げられる。
【０００３】
ＰＥＴ装置を例にとって説明する。ＰＥＴ装置には、被検体の全身の画像を取得できるものがある。この様な全身用ＰＥＴ装置の構成について図面を参照しながら説明する。従来の全身用のＰＥＴ装置５１は、図１４に示すように、被検体Ｍを載置する天板５２と、ガントリ５３と、ガントリ５３の内部に設けられたリング状の検出器リング５４とを有している。
【０００４】
検出器リング５４は、図１５に示すように、ブロック状の放射線検出器６１が円環状に配列された単位検出器リング５５を有している。そして、検出器リング５４は、複数の単位検出器リング５５で構成され、具体的には、単位検出器リング５５の軸方向に複数の単位検出器リング５５を積層することで構成される。
【０００５】
次に、ＰＥＴ装置５１の動作について説明する。ＰＥＴ装置５１で放射線のイメージングを行うには、まず、図１４に示すように、放射性薬剤の投薬を終えた被検体Ｍが天板５２に仰臥される。そして、天板５２を摺動させ、被検体Ｍの頭部を検出器リング５４の位置に合わせる。以降、消滅放射線対を計数しながら、連続的に被検体Ｍの脚部が検出器リング５４に向かうように天板５２をｚ方向に摺動させる。これによって得られた検出データは、画像形成部５６に送出され、そこで被検体Ｍの体軸方向と直交する仮想上の仮想断面で被検体を断層した場合の断層画像を複数枚数、得ることができる。この断層画像には、被検体Ｍの内部から生じた消滅放射線対の発生強度がイメージングされている。
【０００６】
したがって、上述の仮想断面に応じた枚数の断層画像が取得できることになる。この仮想断面は、予め定められており、一般的には、被検体Ｍの体軸方向に沿って等間隔に離間して配列される。より具体的には、単位検出器リング５５毎に少なくとも１つの仮想断面が設定されている。たとえば、単位検出器リング５５の軸方向の中央に位置するダイレクト断面と、側端に位置するクロス断面との２つを有する。この様な構成は、例えば非特許文献１に記載されている。
【先行技術文献】
【非特許文献】
【０００７】
【非特許文献１】北村圭司、外４名「３Ｄ―ＰＥＴ全身イメージング」、映像情報メディカル、２００２年、第３４巻、第１５号、ｐ１４０４−１４０９
【発明の概要】
【発明が解決しようとする課題】
【０００８】
しかしながら、従来の構成によれば、次のような問題点がある。
すなわち、従来の放射線断層撮影装置によれば、被検体Ｍと検出器リング５４とが相対的に単位検出器リング５５の幅分だけ移動する間は、同じ断面データであると認識されるので、体軸方向に少なくとも単位検出器リング５５の幅分のボケが生じてしまう。すなわち、被検体Ｍを移動させながら検出データを取得すると、得られた検出データをどのダイレクト断面に繰り入れるかという問題が生じる。検査の開始時には、被検体Ｍの頚部は、図１６（ａ）に示すように、Ｄ１位置にあり、第１単位検出器リング５５ａから取得される検出データは、それに対応する第１ダイレクト断面５７ａに振り分けられ、同位置の断層画像の形成に使用される。同様に、第１単位検出器リング５５ｂから取得される検出データは、それに対応する第１ダイレクト断面５７ｂに振り分けられる。しかし、被検体Ｍが検出器リング５４に対して単位検出器リング５５の１個分の距離であるΔＤだけ移動すると、被検体Ｍの頚部は、図１６（ｂ）に示すように、第２検出器リング５５ｂの位置（Ｄ２）まで移動している。被検体がΔＤだけ移動する間、第２検出器リング５５ｂから取得された検出データは断面５７ｂに加算され続けるが、被検体Ｍの頚部がＤ２位置にあるとき（つまり、ΔＤ／２の位置からΔＤの位置まで移動する間は）、第２検出器リング５５ｂから取得された検出データは、第２ダイレクト断面５７ｂではなく、むしろ、被検体Ｍの頚部に位置する第１ダイレクト断面５７ａに振り分けられるべきである。
【０００９】
つまり、各単位検出器リング５５から取得される検出データは、被検体Ｍの移動に応じて、ダイレクト断面５７への振り分けを変更させる構成となっており、具体的には、被検体ＭをΔＤ分だけ移動させる毎に、振り分けられるダイレクト断面５７は、現在のダイレクト断面５７から、単位検出器リング５５の１個分だけ離間した隣のダイレクト断面５７に変更される。
【００１０】
この様な構成となっていると、第１検出器リング５５ａから取得された検出データは、被検体Ｍの頚部がＤ１位置と、Ｄ２位置との中間に位置している期間中は、全て同一のダイレクト断面５７に振り分けられる。結局、得られる断層画像は、ΔＤの幅を持った円筒状の領域に包含される被検体Ｍの部分から発射される消滅放射線対の体軸方向における位置の相違は区別されずに、全て単一のダイレクト断面５７にマッピングされる。そのため、断層画像における消滅放射線対の体軸方向における出射位置と、実際の出射位置とは、最大でΔＤだけズレてしまう。このズレが、断層画像のボケを招来する。そこで、断層画像における消滅放射線対の出射位置と、実際の出射位置とのズレを極力抑制できるような構成が望まれるのである。
【００１１】
なお、鮮明な断層画像を得るには、消滅放射線対の計数の回数を可能な限り増加させる必要があるので、断層画像がボケるからといって、断層画像におけるマッピング位置と、実際の出射位置とがｚ方向についてズレた検出データを破棄する構成は望ましいとはいえない。
【００１２】
本発明は、この様な事情を鑑みてなされるものであって、断層画像における消滅放射線対の出射位置と、実際の出射位置とのズレを極力抑制して、ボケの少ない断層画像を取得できる放射線断層撮影装置を提供することにある。
【課題を解決するための手段】
【００１３】
本発明は、この様な目的を達成するために、次のような構成をとる。
すなわち請求項１に記載の放射線断層撮影装置は、放射線検出器が仮想円に沿って一列に配列されて単位検出器リングを構成し、複数の単位検出器リングが厚さ方向に積層されて構成されるとともに消滅放射線対を検出する検出器リングと、検出器リングの貫通穴に挿入されるとともに、検出器リングに対する相対位置を厚さ方向に変更自在となっている天板とを備え、複数の互いに平行となっている仮想断面における被検体の断層画像を形成する放射線断層撮影装置において、単位検出器リングが消滅放射線対を検出したときに形成される検出データを基に断層画像を形成する画像形成手段と、断層画像を形成する際に検出データを仮想断面に組み入れる振り分け手段とを更に備え、仮想断面は、少なくとも検出器リングの数だけ、検出器リングのピッチとして配列された第１仮想断面と、互いに隣接した第１仮想断面の挟まれる位置の各々に設定された第２仮想断面とを備え、ある単位検出器リングにて消滅放射線対を検出した場合、振り分け手段は、そのとき形成された検出データをその単位検出器リングに属する所定の基準点に最も近接した仮想断面である最近仮想断面における断層画像を形成する際に組み入れ、振り分け手段は、検出データの組み入れの際に、第１仮想断面、第２仮想断面を区別することなく最近仮想断面を選択することを特徴とするものである。
【００１４】
［作用・効果］本発明は、所定のピッチで配列された第１仮想断面を備えている。したがって、本発明に係る放射線断層撮影装置は、この第１仮想断面で被検体を裁断したときの断層画像を取得することができる。そして、更に、互いに隣接した第１仮想断面の挟まれる位置の各々に設定された第２仮想断面とを備えている。これにより、被検体の裁断位置を増加させ、より詳細な被検体の診断が可能となる。この様な構成となっていると、例えば、第１仮想断面の配列のピッチを所定のものとすることで、第１仮想断面と単位検出器リングとを１対１で対応させて、単位検出器リングの厚さ分だけ第１仮想断面を離間ささせることができる。これにより、単位検出器リング毎に断層画像を取得すれば、第１仮想断面における断層画像が次々と取得されることから、第１仮想断面における断層画像の取得が容易となる。しかも、本発明は、天板に対する仮想断面の相対位置は、検出器リングに対する天板の相対移動に係らず不変となっている。これにより、被検体の特定の位置で裁断したときの断層画像を形成するための検出データを確実に取得することができる。
【００１５】
また、本発明は、ある単位検出器リングにて消滅放射線対を検出した場合、そのとき形成された検出データは、その単位検出器リングに属する所定の基準点に最も近接した仮想断面である最近仮想断面における断層画像を形成する際に組み入れられる。こうすることで、検出データと、これを組み入れる最近仮想断面との検出器リングの軸方向におけるズレ幅は、極力抑制されたものとなる。したがって、被検体の断層画像はより鮮明なものとなる。しかも、最近仮想断面は、第１仮想断面、第２仮想断面を区別することなく選択される。つまり、第１仮想断面は、単位検出器リング毎に設定されているので、ある単位検出器リングの第１仮想断面に対応する他の単位検出器リングの仮想断面は、他の単位検出器リングの第１仮想断面であることになってしまうが、本発明は、これに拘らず、第１仮想断面、第２仮想断面を区別することなく最近仮想断面を選択する。したがって、検出データと、これを組み入れる最近仮想断面との検出器リングの軸方向におけるズレ幅は、更に抑制されたものとなる。これにより、画像のボケが極力抑えられた断層画像を取得することができる放射線断層撮影装置が提供できる。
【００１６】
また、請求項２に記載の発明は、請求項１に記載の放射線断層撮影装置において、検出データに含まれる放射線の検出強度データに対して重み付けを行う重み付け手段を備え、ある単位検出器リングにて消滅放射線対を検出した場合、そのとき形成された検出データは、振り分け手段によって複製され、振り分け手段は、そのうちの一方を最近仮想断面における断層画像を形成する際に組み入れるとともに、他方を最近仮想断面に次いで基準点に近接した仮想断面である次近仮想断面における断層画像を形成する際に組み入れ、検出データに含まれる放射線の検出強度データ、および複製された検出データに含まれる放射線の検出強度データは、重み付け手段によって、基準点に対する最近仮想断面と、次近仮想断面との位置関係を基に重み付けが行われることを特徴とするものである。
【００１７】
［作用・効果］上記構成によれば、検出データを仮想断面に組み入れる際に、検出データは、複製され、そのうちの一方を最近仮想断面における断層画像を形成する際に組み入れられ、もう一方を次近仮想断面における断層画像を形成する際に組み入れられる。しかも、検出データに含まれる放射線の検出強度データ、および複製された検出データに含まれる放射線の検出強度データは、基準点に対する最近仮想断面と、次近仮想断面との位置関係を基に重み付けが行われる。つまり、検出強度データは、最近仮想断面と、次近仮想断面とに分配される。これにより、放射性薬剤の分布がより忠実にマッピングされ、画像のボケが極力抑えられた断層画像を取得することができる放射線断層撮影装置が提供できる。
【００１８】
また、請求項３に記載の発明は、請求項１または請求項２に記載の放射線断層撮影装置において、振り分け手段と、画像形成手段との間に設けられたデータ記憶手段を更に備えることを特徴とするものである。
【００１９】
［作用・効果］上述の構成によれば、より確実に検出データの受け渡しが可能となる。
【発明の効果】
【００２０】
本発明に係る放射線断層撮影装置は、所定のピッチで配列された第１仮想断面と、互いに隣接した第１仮想断面の挟まれる位置の各々に設定された第２仮想断面とを備えている。これにより、被検体の裁断位置を増加させ、より詳細な被検体の診断が可能となる。また、本発明は、ある単位検出器リングにて消滅放射線対を構成する放射線の一方を検出した場合、そのとき形成された検出データは、その単位検出器リングに属する所定の基準点に最も近接した仮想断面である最近仮想断面における断層画像を形成する際に組み入れられる。こうすることで、検出データが示す消滅放射線対の発生位置と、検出データを組み入れる最近仮想断面との検出器リングの軸方向におけるズレ幅は、極力抑制されたものとなる。したがって、被検体の断層画像はより鮮明なものとなる。しかも、最近仮想断面は、第１仮想断面、第２仮想断面を区別することなく選択される。つまり、第１仮想断面は、単位検出器リング毎に設定されているので、ある単位検出器リングの第１仮想断面に対応する他の単位検出器リングの仮想断面は、他の単位検出器リングの第１仮想断面であることになってしまうが、本発明は、これに拘らず、第１仮想断面、第２仮想断面を区別することなく最近仮想断面を選択する。したがって、検出データと、これを組み入れる最近仮想断面との検出器リングの軸方向におけるズレ幅は、更に抑制されたものとなる。これにより、画像のボケが極力抑えられた断層画像を取得することができる放射線断層撮影装置が提供できる。
【図面の簡単な説明】
【００２１】
【図１】実施例１に係る放射線断層撮影装置の構成を説明する機能ブロック図である。
【図２】実施例１に係る放射線検出器の構成を説明する斜視図である。
【図３】実施例１に係る検出器リングの構成を説明する平面図である。
【図４】実施例１に係る検出器リングの構成を説明する斜視図である。
【図５】実施例１に係る仮想断面を説明する断面図である。
【図６】実施例１に係る仮想断面を説明する断面図である。
【図７】実施例１に係る放射線断層撮影装置の動作を説明するフローチャートである。
【図８】実施例１に係る仮想断面の構成を説明する断面図である。
【図９】実施例１に係る最近仮想断面の決定方法を説明する模式図である。
【図１０】実施例１の構成の効果を説明する実測結果である。
【図１１】本発明の１変形例の構成について説明する断面図である。
【図１２】本発明の１変形例の構成について説明する断面図である。
【図１３】本発明の１変形例の構成について説明する断面図である。
【図１４】従来構成に係る放射線断層撮影装置の構成を説明する断面図である。
【図１５】従来構成に係る放射線断層撮影装置の構成を説明する断面図である。
【図１６】従来構成に係る放射線断層撮影装置の構成を説明する断面図である。
【実施例１】
【００２２】
以下、本発明に係る放射線断層撮影装置の実施例を図面を参照しながら説明する。図１は、実施例１に係る放射線断層撮影装置の構成を説明する機能ブロック図である。実施例１に係る放射線断層撮影装置９は、図１に示すように、被検体Ｍを仰臥させる天板１０と、被検体Ｍを包囲する貫通穴を有するガントリ１１を有している。天板１０は、ガントリ１１の開口を貫通するように備えられているとともに、ガントリ１１の開口の伸びる方向に沿って進退自在となっている。
【００２３】
ガントリ１１の内部には、被検体Ｍから放射される消滅γ線対を検出する検出器リング１２が備えられている。検出器リング１２は、ブロック状の放射線検出器１がリング状に配列されて構成される。この放射線検出器１について簡単に説明する。図２は、実施例１に係る放射線検出器の構成を説明する斜視図である。放射線検出器１は、図２に示すように放射線を蛍光に変換するシンチレータ２と、蛍光を検出する光検出器３とを備えている。そして、シンチレータ２と光検出器３との介在する位置には、蛍光を授受するライトガイド４が備えられている。
【００２４】
シンチレータ２は、シンチレータ結晶が３次元的に配列されて構成されている。シンチレータ結晶は、Ｃｅが拡散したＬｕ２（１−Ｘ）Ｙ２ＸＳｉＯ５（以下、ＬＹＳＯとよぶ）によって構成されている。そして、光検出器３は、どのシンチレータ結晶が蛍光を発したかという蛍光発生位置を特定することができるようになっているとともに、蛍光の強度や、蛍光の発生した時刻をも特定することができる。また、実施例１の構成のシンチレータ２は、採用しうる態様の例示にすぎない。したがって、本発明はこれに限られるものではない。
【００２５】
検出器リング１２の構成について説明する。図３は、実施例１に係る検出器リングの構成を説明する平面図である。図３に示すように、放射線検出器１は、仮想円に沿って一列に並べられ、単位検出器リング１２ｂが構成される。そして、図４に示すように、この単位検出器リング１２ｂが連結されて検出器リング１２が構成されるのである。単位検出器リング１２ｂの各々には、貫通孔が設けられており、単位検出器リング１２ｂの有する貫通孔が連結するように単位検出器リング１２ｂが配列され、検出器リング１２が構成される。なお、ｚ方向は単位検出器リング１２ｂの厚さ方向に相当する。
【００２６】
実施例１によれば、８個の放射線検出器配列によって貫通穴が形成されるため、ｚ方向から貫通穴１２ａを見たとき、貫通穴１２ａは、正８角形となっている。すなわち、単位検出器リング１２ｂは、各々の向きを統一して連結されており、貫通穴１２ａは、８角柱の形状となっている。なお実施例１では、放射線検出の配列は、８個の放射線検出器１からなるが、これをそれ以外の個数の検出器が配列されて貫通穴を形成していてもよい。たとえば１００個前後の検出器が配列される場合、貫通穴の形状はほぼ円形となる。
【００２７】
なお、実施例１に係る放射線断層撮影装置９は、図１に示すように、被検体Ｍの断層画像を取得するための各部が更に設けられている。具体的には、放射線断層撮影装置９は、検出器リング１２からのγ線の検出位置、検出強度、検出時間を表すγ線検出信号を受信し、消滅γ線対の同時計数を行う同時計数部２１と、同時計数部２１にて消滅γ線対であると判断された２つのγ線検出データから検出器リング１２におけるγ線の入射位置を弁別する蛍光発生位置弁別部２２と、検出データをどの仮想断面に振り分けるかを選択する振り分け部２３と被検体Ｍの断層画像を形成する画像形成部２４とを備えている。そして、実施例１の構成は、検出強度データの重み付けを行う重み付け部２５と、検出データを記憶するデータ記憶部２６とを有している。なお、画像形成部は、本発明の画像形成手段に相当し、振り分け部は、本発明の振り分け手段に相当する。そして、重み付け部は、本発明の重み付け手段に相当し、データ記憶部は、本発明のデータ記憶手段に相当する。
【００２８】
そしてさらに、実施例１に係る放射線断層撮影装置９は、各部を統括的に制御する主制御部３５と、放射線断層画像を表示する表示部３６とを備えている。この主制御部３５は、ＣＰＵによって構成され、各種のプログラムを実行することにより、同時計数部２１，蛍光発生位置弁別部２２，振り分け部２３，および画像形成部２４，重み付け部２５とを実現している。
【００２９】
次に、仮想断面について説明する。放射線断層撮影装置９は、被検体Ｍを横断するコロナル断面で被検体Ｍを裁断したときの消滅放射線の発生の分布をマッピングできる。放射線断層撮影装置９で被検体Ｍを撮影すると、互いに平行な複数のコロナル断面における消滅放射線の発生の分布が取得できる。このコロナル断面は、被検体の断層画像を形成する時点で予め設定されたものであり、これが仮想断面である。この仮想断面は、図５に示すように検出器リング１２の構成を考慮されて設定される。すなわち、検出器リング１２は、複数（実施例１においては４個）の単位検出器リング１２ｂを有しており、少なくとも、この単位検出器リング１２ｂの１個に対して、仮想断面が１つ設定されている。この仮想断面は、図５に示すように、単位検出器リング１２ｂの軸方向における中央に位置しており、この仮想断面をダイレクト断面Ｄｓと呼ぶ。なお、天板１０を移動させることで、ダイレクト断面Ｄｓは、単位検出器リング１２ｂのｚ方向における中央に位置しなくなってしまうが、上述の位置関係は、天板１０が検査における初期状態にある場合の設定である。互いに隣接するダイレクト断面Ｄｓは、単位検出器リング１２ｂの厚さ分だけ離間している。したがって、初期状態においては、単位検出器リング１２ｂの各々には、軸方向（ｚ方向）における中央の各々にダイレクト断面Ｄｓが位置することになる。放射線断層撮影装置９は、このダイレクト断面Ｄｓを裁断面として被検体Ｍの断層画像を形成する。初期状態においては、ダイレクト断面Ｄｓ上においてマッピングされる消滅放射線は、そのダイレクト断面Ｄｓが横切る単位検出器リング１２ｂが検出したものである。つまり、消滅放射線対のいずれもがこの単位検出器リング１２ｂで検出されたということである。ダイレクト断面は、本発明の第１仮想断面に相当する。
【００３０】
天板１０は進退自在となっているので、検出器リング１２に対する天板１０の相対位置は、変化する。たとえば、天板１０が単位検出器リング１２ｂの厚さ分だけ移動すると、あるダイレクト断面Ｄｓが横切る単位検出器リング１２ｂは、初期状態におけるものでなく、初期状態の時、このダイレクト断面Ｄｓからみて、単位検出器リング１２ｂの厚さ分だけ離間した単位検出器リング１２ｂである。この状態においては、このダイレクト断面Ｄｓ上においてマッピングされる消滅放射線は、この初期状態のとき、離間していた単位検出器リング１２ｂである。したがって、ダイレクト断面Ｄｓと単位検出器リング１２ｂとの関連付けは、天板１０の進退移動によって変化する。同様な理由から、天板１０のうち、初期状態において検出器リング１２に包囲されていない領域についても、ダイレクト断面Ｄｓが用意されている。天板１０の移動により、この領域も検出器リング１２によって包囲されることになるからである。すなわち、ダイレクト断面Ｄｓの数は、単位検出器リング１２ｂの個数よりも多い。
【００３１】
ところで、ダイレクト断面Ｄｓは、被検体Ｍにおける裁断位置を意味している。したがって、検査中に被検体Ｍに対して移動してはならず、たとえ、天板１０が移動しても、被検体Ｍに対するダイレクト断面Ｄｓの相対位置は、変わらない。言い換えれば、天板１０に対するダイレクト断面Ｄｓは、検出器リング１２に対する天板１０の相対移動に係らず不変となっている。
【００３２】
ダイレクト断面Ｄｓは、単位検出器リング１２ｂの厚さ分だけ離間しているものである。実施例１に係る放射線断層撮影装置９は、互いに隣接するダイレクト断面Ｄｓの挟まれる位置に、ダイレクト断面Ｄｓと平行なクロス断面Ｃｓを設けている。このクロス断面Ｃｓは、図６に示すように、初期状態において、互いに隣接する単位検出器リング１２ｂの中間に位置している。初期状態においては、隣接する単位検出器リング１２ｂ間の同時計数によって得られたデータがクロス断面Ｃｓ上においてマッピングされる。具体的には、クロス断面Ｃｓからｚ方向の距離が、単位検出器リング１２ｂの厚さ以下の位置に存するシンチレータ結晶対が検出したものである。つまり、消滅放射線対のいずれもがこの領域内で検出されたということである。そして、このクロス断面Ｃｓも初期状態において検出器リング１２に包囲されていない領域においても用意されている。クロス断面は、本発明の第２仮想断面に相当する。
【００３３】
なお、実施例１の構成では、重み付け部２５は、検出データに対して、作用しない。この重み付け部２５の意義は、後述の変形例の説明に譲ることにする。
【００３４】
以下、この様な放射線断層撮影装置９の動作について説明する。実施例１に係る放射線断層撮影装置９にて被検体Ｍの断層画像の取得方法は、次のような各ステップを備えている。すなわち、図７に示すように、被検体Ｍを天板１０に載置する載置ステップＳ１と、被検体Ｍから照射される消滅放射線対の検出を開始する検出ステップＳ２と、天板１０の摺動を開始する摺動開始ステップＳ３と、被検体Ｍから照射される消滅放射線対をイメージングして被検体Ｍの断層画像を取得する断層画像取得ステップＳ４とを順次実行することにより断層画像が取得される。以下、これらの各ステップの詳細を順を追って説明する。
【００３５】
＜載置ステップＳ１，および検出ステップＳ２＞
まず、放射線薬剤が注射された被検体Ｍが天板１０に載置される。そして、被検体Ｍから照射される消滅放射線対が検出器リング１２にて検出されることになる。図８は、実施例１に係る仮想断面の構成を説明する断面図である。図８（ａ）は、天板１０が初期位置にあるときの様子を示している。検出器リング１２の有する４つの単位検出器リング１２ｂのうち、天板１０の中心部に面した単位検出器リング１２ｐに注目すると、単位検出器リング１２ｐの貫通穴の内側には領域ＲＤ１が設定されている。この領域ＲＤ１の内部から照射された消滅放射線対は、検出器リング１２ｐにて検出され、検出器リング１２ｐは、検出信号を出力する。これが、同時計数部２１，蛍光発生位置弁別部２２によって、検出データに変換される。
【００３６】
この検出データは、振り分け部２３に送出され、いずれの仮想断面に組み入れられるかが決定される。より具体的には、単位検出器リング１２ｐにて消滅放射線対を構成する放射線の一方を検出した場合、そのとき形成された検出データは、単位検出器リング１２ｐに対して最も近い最近仮想断面に組み入れる。つまり、この検出データは、最近仮想断面における放射性薬剤のイメージングを行うのに使用される。なお、単位検出器リング１２ｐに対する最近仮想断面は、ダイレクト断面Ｄｓ１となっている。
【００３７】
＜摺動開始ステップＳ３，および断層画像取得ステップＳ４＞
次に、天板１０がｚ方向に摺動されて天板１０の摺動が開始される。ダイレクト断面Ｄｓ，およびクロス断面の各々は、この天板１０に追従して移動するのであるから、検出器リング１２ｐとダイレクト断面Ｄｓ，およびクロス断面Ｃｓとの相対的な位置は、次第にズレていくことになる。実施例１に係る放射線断層撮影装置９においては、ダイレクト断面Ｄｓ，クロス断面Ｃｓを区別することなく、振り分け部２３は、単位検出器リング１２ｐに対する最近仮想断面を選択する。例えば、天板１０が摺動され、ダイレクト断面Ｄｓ，およびクロス断面Ｃｓと検出器リング１２ｐとの相対的な位置が図８（ｂ）に示すような状態となったとき、検出器リング１２ｐは、ダイレクト断面Ｄｓ１と、クロス断面Ｃｓ１との中間の位置に存するので、これらのうちのいずれかが最近仮想断面であることになる。図８（ｂ）に示す状態では、最近仮想断面は、ダイレクト断面Ｄｓ１となっているので、領域ＲＤ１にて発生し、検出器リング１２ｐで検出された消滅放射線対（以降、検出器リング１２ｐに係る消滅放射線対と呼ぶ）は、ダイレクト断面Ｄｓ１における放射性薬剤のイメージングを行うのに使用される。
【００３８】
同様に、図８（ｃ）に示すように、単位検出器リング１２ｐに対する最近仮想断面は、クロス断面Ｃｓ１となっているので、検出器リング１２ｐに係る消滅放射線対は、クロス断面Ｃｓ１における放射性薬剤のイメージングを行うのに使用される。さらには、図８（ｄ）に示すように、単位検出器リング１２ｐに対する最近仮想断面は、クロス断面Ｃｓ１となっているので、検出器リング１２ｐに係る消滅放射線対は、クロス断面Ｃｓ１における放射性薬剤のイメージングを行うのに使用される。また、図８（ｅ）に示すように、単位検出器リング１２ｐに対する最近仮想断面は、ダイレクト断面Ｄ２となっているので、検出器リング１２ｐに係る消滅放射線対は、ダイレクト断面Ｄ２における放射性薬剤のイメージングを行うのに使用される。
【００３９】
図８（ａ）〜図８（ｄ）を比較すればわかるように、天板１０が初期位置に存する場合、単位検出器リング１２ｐに対応するダイレクト断面Ｄｓ１におけるイメージングは、領域ＲＤ１から得られた検出データを基に行われる。従来の装置においては、天板１０が摺動していっても、領域ＲＤ１は、専らダイレクト断面を形成するために設定されたものであるので、領域ＲＤ１から得られた検出データは、ダイレクト断面Ｄｓ１か、これに隣接するダイレクト断面Ｄｓ２のいずれかに組み入れられる。しかし、実施例１の構成によれば、天板１０が初期位置に存するとき、ダイレクト断面Ｄｓ１におけるイメージングが、領域ＲＤ１から得られた検出データを基に行われることに係らず領域ＲＤ１から得られた検出データは、最近仮想断面に組み入れることにしている。図８（ｃ）を見ればわかるように、ダイレクト断面Ｄｓ１に最も隣接している仮想断面は、ダイレクト断面Ｄｓ２でなくクロス断面Ｃｓ１なのであるから、クロス断面Ｃｓ１も考慮に入れて検出データを振り分ければ、ズレ幅が、小さなものとなる。したがって、放射性薬剤について、より忠実なマッピングが可能となる。
【００４０】
次に、どのように最近仮想断面の決定方法について説明する。図９は、実施例１に係る
最近仮想断面の決定方法を説明する模式図である。単位検出器リング１２ｂの軸方向（ｚ方向）における中央部分に位置する一点を基準点Ｆとする。この様に、振り分け部２３における検出データの振り分けは、消滅γ線対のうちの一方が検出された地点を参照点Ｄｐ２１とし、参照点と、基準点との距離を比較して最近仮想断面を決定することによりなされる。振り分け部２３は、この基準点Ｆを利用して最近仮想断面を決定する。具体的には、ダイレクト断面Ｄｓ２１と、クロス断面Ｃｓ２１とが単位検出器リング１２ｂを横切るとする。そして、ダイレクト断面Ｄｓ２１，および単位検出器リング１２ｂの内表面に属する参照点Ｄｐ２１を考える。この参照点Ｄｐ２１と基準点Ｆとを結ぶ線分は、ｚ方向に沿っている。また、クロス断面Ｃｓ２１，および単位検出器リング１２ｂの内表面に属する参照点Ｃｐ２１を考える。この参照点Ｃｐ２１と基準点Ｆとを結ぶ線分は、ｚ方向に沿っている。
【００４１】
振り分け部２３は、参照点Ｄｐ２１と基準点Ｆとの離間距離であるα１と、参照点Ｃｐ２１と基準点Ｆとの離間距離α２とを比較し、基準点Ｆから距離の短い仮想断面を単位検出器リング１２ｂの最近仮想断面とする。したがって、天板１０が摺動するにつれ、単位検出器リング１２ｂの最近仮想断面は、変動する。振り分け部２３によって編集された検出データは、重み付け部２５を通じてデータ記憶部２６に送出される。図９においては、クロス断面Ｃｓ２１が単位検出器リング１２ｂの最近仮想断面であることになる。
【００４２】
画像形成部２４は、データ記憶部２６が記憶している検出データを読み出す。振り分け部２３が行った検出データの振り分けにしたがって、各仮想断面に指定された検出データを基に、各仮想断面に対応した被検体Ｍの断層画像を合成する。最後に、各仮想断面における被検体Ｍの断層画像が表示部３６に表示されて検査は終了となる。
【００４３】
以上のように、実施例１の構成は、所定のピッチで配列されたダイレクト断面Ｄｓを備えている。したがって、実施例１の構成に係る放射線断層撮影装置９は、このダイレクト断面Ｄｓで被検体Ｍを裁断したときの断層画像を取得することができる。そして、更に、互いに隣接したダイレクト断面Ｄｓの挟まれる位置の各々に設定されたクロス断面Ｃｓとを備えている。これにより、被検体Ｍの裁断位置を増加させ、より詳細な被検体Ｍの診断が可能となる。単位検出器リング１２ｂ毎に断層画像を取得すれば、ダイレクト断面Ｄｓにおける断層画像が次々と取得されることから、ダイレクト断面Ｄｓにおける断層画像の取得が容易となる。しかも、実施例１の構成は、天板１０に対する仮想断面の相対位置は、検出器リング１２に対する天板１０の相対移動に係らず不変となっている。これにより、被検体Ｍの特定の位置で裁断したときの断層画像を形成するための検出データを確実に取得することができる。
【００４４】
次に、実施例１の構成の効果について説明する。図１０は、実施例１の構成の効果を説明する実測結果である。図１０（ａ）、図１０（ｄ）、図１０（ｇ）は、従来の構成でファントムをイメージングしたものであり、ダイレクト断面Ｄｓとクロス断面Ｃｓとを区別して検出データを振り分ける構成となっている場合における断層画像である。また、図１０（ｂ）、図１０（ｅ）、図１０（ｈ）は、実施例１の構成で放射線対を発生するファントムをイメージングしたものであり、ダイレクト断面Ｄｓとクロス断面Ｃｓとを区別しないで検出データを振り分ける構成となっている場合における断層画像である。そして、図１０（ｃ）、図１０（ｆ）、図１０（ｉ）は、コントロールであり、天板１０を不動のものとしてファントムをイメージングしたものである。
【００４５】
また、図１０（ａ）、図１０（ｂ）、図１０（ｃ）は、ファントムをｚ方向に直交する仮想断面で裁断したときの断層画像である。また、図１０（ｄ）、図１０（ｅ）、図１０（ｆ）は、複数の仮想断面で裁断した画像から合成した、ファントムを天板１０に平行な面で裁断したときの断層画像である。図１０（ｇ）、図１０（ｈ）、図１０（ｉ）は、複数の仮想断面で裁断した画像から合成した、ファントムを仮想断面、および天板１０に直交する面で裁断したときの断層画像である。実施例１に係る図１０（ｂ）、図１０（ｅ）、図１０（ｈ）の像は、図１０（ａ）、図１０（ｄ）、図１０（ｇ）よりもむしろ、図１０（ｃ）、図１０（ｆ）、図１０（ｉ）の像に類似している。この様に、実施例１の構成では、ファントムは、ガントリに対して相対移動するにもかかわらず、像はボケることがない。
【００４６】
以上のように、実施例１の構成は、ある単位検出器リング１２ｂにて消滅放射線対を構成する放射線の一方を検出した場合、そのとき形成された検出データは、その単位検出器リング１２ｂに属する所定の基準点Ｆに最も近接した仮想断面である最近仮想断面における断層画像を形成する際に組み入れられる。こうすることで、検出データと、これを組み入れる最近仮想断面との検出器リング１２のｚ方向におけるズレ幅は、極力抑制されたものとなる。したがって、被検体Ｍの断層画像はより鮮明なものとなる。しかも、最近仮想断面は、ダイレクト断面Ｄｓ，クロス断面Ｃｓを区別することなく選択される。つまり、ダイレクト断面Ｄｓは、単位検出器リング１２ｂ毎に設定されているので、ある単位検出器リング１２ｂのダイレクト断面Ｄｓに対応する他の単位検出器リング１２ｂの仮想断面は、他の単位検出器リング１２ｂのダイレクト断面Ｄｓであることになってしまうが、実施例１の構成は、これに拘らず、ダイレクト断面Ｄｓ，クロス断面Ｃｓを区別することなく最近仮想断面を選択する。したがって、検出データと、これを組み入れる最近仮想断面との検出器リング１２のｚ方向におけるズレ幅は、更に抑制されたものとなる。これにより、画像のボケが極力抑えられた断層画像を取得することができる放射線断層撮影装置９が提供できる。また、上述の実測結果を見ればわかるように、実施例１にかかる放射線断層撮影装置９は、微細な構造を鮮明化するのに適している。これにより、ガンの早期発見が期待できる。
【００４７】
この発明は、上記実施例に限られるものではなく、以下のように変形実施することができる。
【００４８】
（１）上述した実施例において、検出データは、いずれかの仮想断面に振り分けられていたが、この構成を変更して、検出データを複製する構成とすることもできる。すなわち、図１１に示すように、単位検出器リング１２ｐにて消滅放射線対を検出した場合、そのとき、同時計数部２１，および蛍光発生位置弁別部２２で形成された検出データは複製され、振り分け部２３は、そのうちの一方を、最近仮想断面に組み入れる。そして、他方を、最近仮想断面上に次いで準点に近接した仮想断面に組み入れる構成としてもよい。このときの最近仮想断面に次いで基準点Ｆに近接した仮想断面が次近仮想断面である。しかも、この様な構成となっていれば、複製された検出データに含まれる検出強度データに対し、基準点Ｆに対する最近仮想断面と、次近仮想断面との位置関係を基に線形的な重み付けを行うことができる。具体的には、検出強度データは、振り分け部２３から重み付け部２５に送出され、上述の重み付けがなされる。この重み付け部２５の動作について説明する。検出データには、検出した蛍光の強度を示す検出強度データを含んでいる。そこで、重み付け部２５は、基準点Ｆから最近仮想断面までの距離（図１１においては、α２）と、基準点Ｆから次近仮想断面までの距離（図１１においては、α１）との比を基に検出強度を分割し、これらを複製された検出データの各々に、検出強度として再設定する。こうすることで、放射性薬剤の分布がより忠実にマッピングされる。
【００４９】
（２）上述した実施例において、仮想断面は、ｚ軸に直交していたが、本発明はこれに限らない。すなわち、仮想面がｚ軸に対して傾斜したデータ構成に対しても同様に作用する。この場合、消滅放射線対を構成する放射線の一方は、図１２に示すように、単位検出器リング１２ｂで検出され、もう一方は単位検出器リング１２ｃで検出される。最近仮想断面の決定方法としては、実施例１の構成と同様である。すなわち、単位検出器リング１２ｂにおける基準点Ｆｂを基準として最近仮想断面を決定する。図１３に示すように、仮想断面は、単位検出器リング１２ｂのｚ軸における中央の点である基準点Ｆｂ，および単位検出器リング１２ｂのｚ軸における中央の点である基準点Ｆｃを結ぶ線分を含んだ平面に平行となっている、平面であり、例えば、ダイレクト断面Ｄ３１，クロス断面Ｃ３１，ダイレクト断面Ｄ３２である。図１３のα１，α２の長さを比較して最近仮想断面が決定される。最近仮想断面の決定は、単位検出器リング１２ｃのｚ軸における中央の点である基準点Ｆｃを基準としてもよい。なお、この構成は、上述の検出データを複製する構成と組み合わせて実施されることもできる。
【００５０】
（３）上述した実施例において、クロス断面Ｃｓは、互いに隣接するダイレクト断面Ｄｓのちょうど中間に位置していたが、本発明はこれに限らない。例えば、互いに隣接するダイレクト断面に複数のクロス断面を設定することもできる。
【００５１】
（４）上述した実施例のいうシンチレータ結晶は、ＬＹＳＯで構成されていたが、本発明においては、その代わりに、ＧＳＯ（Ｇｄ２ＳｉＯ５）などのほかの材料でシンチレータ結晶を構成してもよい。本変形例によれば、より安価な放射線検出器が提供できる放射線検出器の製造方法が提供できる。
【００５２】
（５）上述した実施例において、シンチレータには、シンチレータ結晶層が４層設けられていたが、本発明はこれに限らない。例えば、１層のシンチレータ結晶層で構成されるシンチレータを本発明に適応してもよい。その他、放射線検出器の用途に合わせて、自在にシンチレータ結晶層の層数を調節することができる。
【００５３】
（６）上述した実施例において、蛍光検出器は、光電子増倍管で構成されていたが、本発明はこれに限らない。光電子増倍管に代わって、フォトダイオードやアバランシェフォトダイオードや半導体検出器などを用いていもよい。
【００５４】
（７）上述した実施例において、天板が摺動自在となっていたが、本発明はこれに限らず、たとえば、天板は固定であり、ガントリ１１が摺動する構成としてもよい。
【符号の説明】
【００５５】
Ｃｓ    クロス断面（第２仮想断面）
Ｄｓ    ダイレクト断面（第１仮想断面）
Ｆ      基準点
１０    天板
１２    検出器リング
１２ｂ  単位検出器リング
２３    振り分け部（振り分け手段）
２４    画像形成部（画像形成手段）
２５    重み付け部（重み付け手段）
２６    データ記憶部（データ記憶手段）
【図１】
2010197095.tif 000003
【図２】
2010197095.tif 000004
【図３】
2010197095.tif 000005
【図４】
2010197095.tif 000006
【図５】
2010197095.tif 000007
【図６】
2010197095.tif 000008
【図７】
2010197095.tif 000009
【図８】
2010197095.tif 000010
【図９】
2010197095.tif 000011
【図１０】
2010197095.tif 000012
【図１１】
2010197095.tif 000013
【図１２】
2010197095.tif 000014
【図１３】
2010197095.tif 000015
【図１４】
2010197095.tif 000016
【図１５】
2010197095.tif 000017
【図１６】
2010197095.tif 000018